(57)【要約】カートンは、1つ以上の強化ブランクを主ブランクへの重ね合わせで形成する多層構造を有する。分離可能なセクションが、カートンから製品を取り出すことを可能とする1つ以上のカートンのサイドパネルで形成することが可能である。
2010534599.tif 000002
【特許請求の範囲】
【請求項１】
カートンを形成するための多層ブランクであって、該多層ブランクは主ブランクと第１の強化ブランクとを備え、
該主ブランクは、第１の折り線に沿って第２のパネルに接続された第１のパネルと、第２の折り線に沿って第３のパネルに接続された該第２のパネルと、第３の折り線に沿って第４のパネルに接続された該第３のパネルと、第１の横方向折り線に沿って該第１のパネルに接続された第１のトップ端部フラップを含み、
該第１の横方向折り線は該第１の折り線を横切るようにされており、
該主ブランクは、該第１のパネルと該第１の端部フラップとの間の該第１の横断折り線に沿って配置されている第１の隅部特性機能部を含み、
該第１の強化ブランクが該主ブランクに取り付けられている、多層ブランク。
【請求項２】
分離可能な部分が該主ブランクの該第２のパネルに少なくとも部分的に形成されている、請求項１に記載のブランク。
【請求項３】
該分離可能な部分が引き裂き線により少なくとも部分的に画成されている、請求項２に記載のブランク。
【請求項４】
該引き裂き線は、該第２のパネルから該第２の折り線を横切り、該第３のパネルまで延在している、請求項３に記載のブランク。
【請求項５】
該引き裂き線は実質的に連続しており、開口機能部によりその周部分で分離される、請求項３に記載のブランク。
【請求項６】
該開口機能部は、該第３のパネルに形成されている開口部である、請求項５に記載のブランク。
【請求項７】
該開口機能部は、指フラップによって覆われている、請求項５に記載のブランク。
【請求項８】
少なくとも第２の端部フラップが該第１の横方向折り線に沿って該第２のパネルと接続している、請求項１に記載のブランク。
【請求項９】
第３の端部フラップは該横方向折り線に沿って該第３のパネルに接続されている、請求項８に記載のブランク。
【請求項１０】
第２の隅部特性機能部が該第１の横方向折り線に沿って、該第３のパネルと該第３の端部フラップの間に配置されている、請求項９に記載のブランク。
【請求項１１】
少なくとも１つの取っ手機能部が該第１のパネル、もしくは該第４のパネルに配置されている、請求項１に記載のブランク。
【請求項１２】
接着フラップが第４の折り線に沿って該第４のパネルに取り付けられている、請求項１に記載のブランク。
【請求項１３】
第２の強化ブランクが該主ブランクに取り付けられている、請求項１に記載のブランク。
【請求項１４】
該第１の強化ブランクが該第１の横方向折り線に沿って配置されている、請求項１３に記載のブランク。
【請求項１５】
該２の強化ブランクが該第２の横方向折り線に沿って配置され、
該第２の横方向折り線が該第１の横断折り線と平行で該第１のパネルの反対側に配置されている、請求項１３に記載のブランク。
【請求項１６】
第１のボトム端部フラップが該第２の横方向折り線に沿って該第１のパネルに接続されており、
第２のボトム端部フラップが該第２の横方向折り線に沿って該第２のパネルに接続されており、
第３のボトム端部フラップが該第２の横断折り線に沿って該第３のパネルに接続されており、
第４のボトム端部フラップが該第２の横断折り線に沿って該第４のパネルに接続されている、請求項１４に記載のブランク。
【請求項１７】
第２の隅部特性機能部が該第１のパネルと該第１のボトム端部フラップと間で該第２の横断折り線に沿って配置されている、請求項１５に記載のブランク。
【請求項１８】
第３の隅部特性機能部が該第３のパネルと該第３のボトム端部フラップとの間で該第２の横断折り線に沿って配置されている、請求項１５に記載のブランク。
【請求項１９】
第４の隅部特性機能部が該第４のパネルと該第４のボトム端部フラップとの間で該第２の横断折り線に沿って配置されている、請求項１５に記載のブランク。
【請求項２０】
分離可能な部分が、該第１の強化パネルと該第２の強化パネルとの間の該主ブランクの該第２のパネルにおいて少なくとも部分的に形成されている、請求項１３に記載のブランク。
【請求項２１】
多層ブランクを備えるカートンであって、該多層ブランクは主ブランクと第１の強化ブランクとを備え、
該主ブランクは、第１の折り線に沿って第２のパネルと接続された第１のパネルと、第２の折り線に沿って第３のパネルと接続された該第２のパネルと、第３の折り線に沿って第４のパネルと接続された該第３のパネルと、第１の横断折り線に沿って該第１のパネルと接続された第１のトップ端部フラップを含み、
該第１の横断折り線は該第１の折り線を横切るようにされており、該主ブランクは、該第１のパネルと該第１の端部フラップとの間の該第１の横断折り線に沿って配置されている第１の隅部特性機能部を備え、
該第１の強化ブランクが該主ブランクに取り付けられており、
該第１の隅部特性機能部が斜角形状を有し該カートンを強化する、カートン。
【請求項２２】
分離可能な部分が該主ブランクの該第２のパネルに少なくとも部分的に形成されている、請求項２１に記載のカートン。
【請求項２３】
該分離可能な部分が引き裂き線により少なくとも部分的に画成されている、請求項２２に記載のカートン。
【請求項２４】
該引き裂き線が該第２のパネルから該第２の折り線を横切り、該第３のパネルまで延在している、請求項２３に記載のカートン。
【請求項２５】
該引き裂き線が実質的に連続しており、開口機能部によりその周部分で分離され、該開口機能部は、該分離可能な部分を引き裂き線に沿って分離するための始点として使用することができる、請求項２３に記載のカートン。
【請求項２６】
該開口機能部は該第３のパネルに形成された開口である、請求項２５に記載のカートン。
【請求項２７】
該開口機能部が指フラップによって覆われている、請求項２５に記載のカートン。
【請求項２８】
第２の端部フラップが該第１の横断折り線に沿って該第２のパネルに接続されている、請求項２１に記載のカートン。
【請求項２９】
第３の端部フラップが該横断折り線に沿って該第３のパネルに接続されている、請求項２８に記載のカートン。
【請求項３０】
第２の隅部特性機能部が該第３のパネルと該第３の端部フラップとの間で該第１の横断折り線に沿って配置されている、請求項２９に記載のカートン。
【請求項３１】
少なくとも１つの取っ手機能部が該第１のパネル、もしくは該第４のパネルに配置されている、請求項２１に記載のカートン。
【請求項３２】
接着フラップが第４の折り線に沿って該第４のパネルに取り付けられている、請求項２１に記載のカートン。
【請求項３３】
第２の強化ブランクが該主ブランクに取り付けられている、請求項２１に記載のカートン。
【請求項３４】
該第１の強化ブランクが該第１の横断折り線に沿って配置されている、請求項３３に記載のカートン。
【請求項３５】
該第２の強化ブランクが第２の横断折り線に沿って配置され、第２の横断折り線は該第１の横断折り線と平行で該第１のパネルの反対側に配置されている、請求項３３に記載のカートン。
【請求項３６】
第１のボトム端部フラップが該第２の横断折り線に沿って該第１のパネルに接続されており、第２のボトム端部フラップが該第２の横断折り線に沿って該第２のパネルに接続されており、第３のボトム端部フラップが該第２の横断折り線に沿って該第３のパネルに接続されており、第４のボトム端部フラップが該第２の横断折り線に沿って該第４のパネルに接続されている、請求項３４に記載のカートン。
【請求項３７】
第２の隅部特性機能部が該第１のパネルと該第１のボトム端部フラップの間で該第２の横断折り線に沿って配置されている、請求項３５のカートン。
【請求項３８】
第３の隅部特性機能部が、該第３のパネルと該第３のボトム端部フラップの間で該第２の横断折り線に沿って配置されている、請求項３５のカートン。
【請求項３９】
第４の隅部特性機能部が、該第４のパネルと該第４のボトム端部フラップの間で該第２の横断折り線に沿って配置されている、請求項３５のカートン。
【請求項４０】
分離可能な部分が、該第１の強化パネルと該第２の強化パネルの間の該主ブランクの該第２のパネルにおいて少なくとも部分的に形成されている、請求項３３のカートン。
【請求項４１】
多層ブランクから形成されたカートンからディスペンスする方法であって、
該多層ブランクは、主ブランクと、第１の強化ブランクとを備え、該主ブランクは、第１の折り線に沿って第２のパネルに接続された第１のパネルと、第２の折り線に沿って第３のパネルに接続された該第２のパネルと、第３の折り線に沿って第４のパネルに接続された該第３のパネルと、第１の横断折り線に沿って該第１のパネルと接続された第１のトップ端部フラップとを備え、該第１の横断折り線は該第１の折り線と交差するようにされており、該主ブランクは、該第１のパネルと該第１の端部フラップの間で該第１の横断折り線に沿って配置されている第１の隅部特性機能部を備え、該第１の強化ブランクは該主ブランクに取り付けられており、
当該方法は、物品を収容するために該多層ブランクをカートンに形成することと、引き裂き線に沿って分離可能な部を分離することを含み、該分離可能な部分は該主ブランクの該第２のパネルに少なくとも部分的に配置されている、多層ブランクから形成されたカートンからディスペンスする方法。
【請求項４２】
第２の強化ブランクが該主ブランクに取り付けられており、該分離可能な部分が該第１の強化ブランクと該第２の強化ブランクの間で該主ブランクにおいて画成されている、請求項４１に記載の方法。
【発明の詳細な説明】
【技術分野】
【０００１】
本発明は、製品を保管もしくは運搬するためのカートンやスリーブに関連する。該カートンやスリーブはブランクから形成され、そして、概して、少なくとも製品の一部や物品をその中で囲み、もしくは保持する。
【０００２】
［関連出願の記述］
本願は、米国仮特許出願６０／９６２，２４４号に対し優先権を主張し、上記に述べた仮特許出願の全ての内容は、ここに参照されることで緩用される。
【発明の概要】
【０００３】
カートンは、典型的には、大量にばら積みにて輸送される。輸送中、特定の容器内で製品輸送量を最大化するため、カートンは互いに鉛直に積み重ねられる。しかしながら、輸送製品量は、積み重ねられたカートンの荷重負荷能力に依存する。ゆえに、概して、輸送時の圧縮に対して、また、カートンの中身の保護等の他の目的のため、高い剛性、及び／又は強度を有するカートンを製造することが望まれる。
【０００４】
カートンの強度を高めるため、現状のカートンにおいては、特殊でより丈夫な厚紙材（段ボール材など）、もしくは、より厚いカートン材料からブランクを製造している物がある。製造における材料コストは、ブランク全体の強度及び／又は厚さの増大コストにしたがって増大するため、現状のカートンには、典型的に、カートンの製造と関連するコスト増加が欠点として存在する。しかしながら、いくらかブランクのセクションでは耐力無いため、そのようなブランクの耐力の無いセクションの強度を増加するための追加コストが浪費される。
【０００５】
本発明の第１の態様に従って、カートンは多層ブランクにより形成される。多層ブランクは主ブランク、及び主ブランク上に重ねた１つ以上の強化ブランクを含む。例えば、最終的なカートン又は組合せのカートンにおいて、強度や剛性などの所望する特性を増大させるため、主ブランクの選択部分に強化ブランクを接着したり、及び／又は、それ以外の態様で取り付けることが可能である。所望するレベルの増大した強度及び／又は剛性を提供しつつ、紙の使用量を、例えば、最小にするために、適用される強化ブランクの大きさや場所を選択することができる。
【０００６】
本発明の別の態様によれば、角度付けされた、又は斜角形状の隅部特性機能部を、カートンのサイドパネルとエンドパネルの１つ以上の交差部において形成することができる。隅部特性機能部はカートンに追加の強度を与える。
【０００７】
本発明の別の態様によれば、カートンから物品を取りだすのを容易にするため、ディスペンサー機能部をカートンに形成することができる。
【０００８】
本発明の別の態様によれば、カートンに収容されている物品をカートン外側より肉眼で確認可能とするため、開口部をカートンに設けることができる。開口部はカートンのディスペンサーへアクセスするための始点として供される。
【０００９】
別の態様においては、本発明ではカートンを形成するための多層ブランクを含み、多層ブランクは、少なくとも主ブランクと第１の強化ブランクを含む。第１の折り線に沿って第２のパネルと接続される第１のパネルと、第２の折り線に沿って第３のパネルと接続される第２のパネルと、第３の折り線に沿って第４のパネルと接続される第３のパネルを主ブランクは含む。第１のトップ端部フラップは第１の横断折り線に沿って第１のパネルと接続され、第１の横断折り線は第１の折り線を横切るようにされている。第１の隅部特性機能部は、第１のパネルと第１の端部フラップの間で第１の横断折り線に沿って配置される。第１の強化ブランクは主ブランクに取り付けられる。代替的には、分離可能な部分が、主ブランクの第２のパネルに少なくとも部分的に形成される。分離可能な部分は、第２のパネルから第２の折り線を横切り第３のパネルに延在している引き裂き線により、少なくとも部分的に画定される。引き裂き線は、概して、実質的に連続で、開口機能部によりその周部分で分離され、該開口機能部は第３のパネルに形成され、かつ指フラップにより覆われることが出来る。更に、少なくとも第２の端部フラップは第１の横断折り線に沿って第２のパネルに接続されることができ、そして第３の端部フラップは横断折り線に沿って第３のパネルに接続されることが可能である。第２の隅部特性機能部を、第３のパネルと第３の端部フラップ間で第１の横断折り線に沿って配置することができる。更に、少なくとも１つの取っ手機能部が、第１のパネル、もしくは第４のパネルに配置可能であり、接着フラップが第４の折り線に沿って第４のパネルに取り付けられることが可能である。代替的にさらに、第２の強化ブランクを主ブランクへ付けることも可能である。この構成においては、第１の強化ブランクを第１の横断折り線に沿って配置することができ、第２の強化ブランクを第２の横断折り線に沿って配置することができ、第２の横断折り線は、第１の横断折り線と平行で第１のパネルの反対側に配置されている。更に、少なくとも第１のボトム端部フラップを第２の横断折り線に沿って第１のパネルに接続することが可能であり、第２のボトム端部フラップを第２の横断折り線に沿って第２のパネルに接続することが可能であり、第３のボトム端部フラップを第２の横断折り線に沿って第３のパネルに接続することが可能であり、そして第４のボトム端部フラップを第２の横断折り線に沿って第４のパネルに接続することが可能となっている。更に、少なくとも第２の隅部特性機能部を第１のパネルと第１のボトム端部フラップ間で第２の横断折り線に沿って配置することが可能であり、第３の隅部特性機能部を第３のパネルと第３のボトム端部フラップ間で第２の横断折り線に沿って配置することが可能であり、そして第４の隅部特性機能部を第４のパネルと第４のボトム端部フラップ間で第２の横断折り線に沿って配置することが可能である。
【００１０】
別の態様においては、本発明は主ブランクと第１の強化ブランクを有する、多層ブランクにより形成されたカートンを含む。主ブランクは、第１の折り線に沿って第２のパネルに接続された第１のパネルを含む。第２のパネルは第２の折り線に沿って第３のパネルと接続され、第３のパネルは第３の折り線に沿って第４のパネルと接続される。第１のトップ端部フラップは第１の横断折り線に沿って第１のパネルに接続され、第１の横断折り線は第１の折り線を横切るようにされている。第１の隅部特性機能部が第１のパネルと第１の端部フラップの間で第１の横断折り線に沿って配置されている。第１の強化ブランクは主ブランクに取り付けられる。第１の隅部特性機能部は斜角形状を有し、カートンの強度を増大させている。オプションとして、カートンは、主ブランクの第２のパネル上に、少なくとも部分的に形成された分離可能な部分を含む。更に、分離可能な部分は引き裂き線により少なくとも部分的に画定されており、該引き裂き線第２のパネルから第２の折り線を横切り第３のパネルまで延在することができる。該引き裂き線は実質的に連続であり、開口機能部によりその周部分で分離され、開口機能部を、引き裂き線に沿って分離可能な部分を分離するための始点として利用することができる。開口機能部は、第３のパネルに形成された開口部とすることができる。開口機能部を指フラップによりカバーすることができる。カートンは、また、第１の横断折り線に沿って第２のパネルと接続されている少なくとも第２の端部フラップと、横断折り線に沿って第３のパネルと接続されている第３の端部フラップを含むことができ、第２の隅部特性機能部が第３のパネルと第３の端部フラップ間で第１の横断折り線に沿って配置されている。カートンは、また、第１のパネルもしくは第４のパネルに、少なくとも１つの取っ手機能部を含むことができる。カートンは、また、第４の折り線に沿って第４のパネルに取り付けられている接着フラップを含むことができる。オプションとして、カートンは主ブランクに取り付けられた第２の強化ブランクを含むことができ、第１の横断折り線に沿った第１の強化ブランクと第２の横断折り線に沿った第２の強化ブランクを伴う。第２の横断折り線は、第１の横断折り線と平行で第１のパネルの反対側にある。カートンは、また、第２の横断折り線に沿って第１のパネルと接続されている少なくとも第１のボトム端部フラップと、第２の横断折り線に沿って第２のパネルと接続されている第２のボトム端部フラップと、第２の横断折り線に沿って第３のパネルと接続されている第３のボトム端部フラップと、第２の横断折り線に沿って第４のパネルと接続されている第４のボトム端部フラップとを含むことができる。カートンは、また、第１のパネルと第１のボトム端部フラップ間で第２の横断折り線に沿う少なくとも第２の隅部特性機能部を含むことができる。カートンは、また、第３のパネルと第３のボトム端部フラップ間で第２の横断折り線に沿う第３の隅部特性機能部と、第４のパネルと第４のボトム端部フラップ間で第２の横断折り線に沿う隅部特性機能部を含むことができる。カートンは、また、第１の強化パネルと第２の強化パネル間において、主ブランクの第２のパネルに、少なくとも部分的に形成された分離可能な部分を含むことができる。
【００１１】
別の態様においては、本発明は、主ブランクと第１の強化ブランクからなる多層ブランクにより形成されたカートンから分配するディスペンス方法を含む。主ブランクは第１の折り線に沿って第２のパネルと接続された第１のパネルを含む。第２のパネルは第２の折り線に沿って第３のパネルと接続される。第３のパネルは第３の折り線に沿い第４のパネルと接続される。第１のトップ端部フラップは第１の横断折り線に沿って第１のパネルと接続されていて、第１の横断折り線は第１の折り線を横切るようにされている。第１の隅部特性機能部が第１のパネルと第１の端部フラップの間で第１の横断折り線に沿って設けられている。第１の強化ブランクは主ブランクに取り付けられる。当該方法は、多層ブランクを、物品を収容するためのカートンに形成するステップと、引き裂き線に沿って分離可能な部分を分離するステップを含み、分離可能な部分は、主ブランクの第２のパネルに少なくとも部分的に配置されている。オプションとして、当該方法は、主ブランクに取り付けられた第２の強化ブランクを提供することができ、第１の強化ブランクと第２の強化ブランク間の主ブランクにおいて分離可能な部分を画成することができる。
【００１２】
以上の内容、本発明の他の特徴、態様、及び利点は、以下に簡単に記述された関連図面に関連して、以下に記載の実施例の詳細説明を概観することにより、より明白になるであろう。一般的な慣例に従って、以下で考察される図面の種々の特徴は、必ずしも一定の縮尺比にて描かれているとは限らない。図面中の種々の特徴や要素は、本発明の実施形態をより明確に示すために、拡大又は縮小されている。
【図面の簡単な説明】
【００１３】
【図１】本発明の第１の実施例に従い、カートンの形成に使用される多層ブランクの内側平面図
【図２】本発明の第１の実施例に従い、多層ブランクの外側、もしくは印刷側の平面図
【図３】パネル４０がパネル５０に取り付けられている、図１及び図２のブランクを組み立てる第１ステップの図
【図４】ブランクをスリーブに組み立てる第２ステップの図
【図５】閉じられたカートンを形成するため、スリーブの端部フラップを閉じる第３ステップの図
【図６】第１のカートンの実施例の多様な図
【図７】第１のカートンの実施例の多様な図
【図８】第１のカートンの実施例の多様な図
【図９】第１のカートンの実施例の多様な図
【図１０】取っ手機能部が係合されている第１のカートンの実施例の図
【図１１】第１のカートンの実施例のディスペンサーの図
【図１２】ディスペンサーを開口して除去した後の第１のカートンの実施例の図
【発明を実施するための最良の形態】
【００１４】
発明の詳細説明
簡単に述べれば、本発明は強度と剛性を増したカートンに関するものである。カートンは、主ブランクに接着される１つ以上の強化ブランクにより強化された主ブランクより形成される。本明細書において、“サイド”並びに“端部”の用語は記述を容易にするために使用されるものであり、本発明の範囲を限定するものではなく、またパネルやフラップの相対的な大きさや方向を意味するものではない。
【００１５】
図１は多層ブランク８の内側平面図であり、多層ブランク８は、主ブランク又は外側ブランク５と、第１と第２の内側ブランク又は主ブランク５に接着される強化ブランク６を備える。本発明の第１の態様に従って、多層ブランク８はカートン２００（図６−図９に示す）を形成するために使用される。ブランク５、６の内側は、概して、組み立てられたカートン２００の内側に位置する。
【００１６】
以下でさらに詳細に述べるように、強化ブランク６は平面領域、又は主ブランク５の占有面積部の一部を補完しかつ部分的に被う“占有面積”を有することが可能である。強化ブランク６の周囲縁部の１つ以上のセクションは、また、主ブランク５の周囲の縁部部分に一致させることが可能である。ブランク８は、多層ブランク８を備えた主ブランク及び強化ブランクの層５，６は実質的に重なる部分を含む、という点において“多層”である。用語“二層”や“多層”の用語は、ブランク８の全てのセクションが二層もしくは多層から形成されることを示すことを意図するものではない。例えば、強化ブランク６は、主ブランク５に比べ僅かに異なる占有面積を持つことができ、かつ全ての部分において主ブランク５に重なる必要は無い。
【００１７】
図２は、本発明の第１の実施例に従う、多層ブランクの外側、もしくは印刷側の平面図である。図１及び図２に示されている様に、多層ブランク８は長手方向中心線ＣＬに全体的もしくは部分的に対称である。それゆえ、全体もしくは部分的に長手方向の対称を反映するため、図面では一定の要素は共通の参照番号を有する。
【００１８】
図１及び図２を参照し、多層ブランク８の主ブランク層５は、横方向的に又は横方向に延在する第１の折り線２１において第２のサイドパネル２０と折り曲げ可能に接続された第１のサイドパネル１０と、第２の横方向折り線３１において第２のサイドパネル２０と折り曲げ可能に接続された第３のサイドパネル３０と、第３の横方向折り線４１において第３のサイドパネル３０と折り曲げ可能に接続された第４のサイドパネル４０とを備える。接着パネル５０は第４の横方向折り線５１において第１のサイドパネル１０と折り曲げ可能に接続される。
【００１９】
主ブランク５において、第１のサイドパネル１０は各端部にて第１のサイド端部フラップ１２と折り曲げ可能に接続される。第２のサイドパネル２０は各端部にて第２のサイド端部フラップ２２と折り曲げ可能に接続される。第３のサイドパネル３０は各端部にて第３のサイド端部フラップ３２と折り曲げ可能に接続される。第４のサイドパネル４０は各端部にて第４のサイド端部フラップ４２と折り曲げ可能に接続される。端部フラップ１２、２２、３２、４２は、主ブランク５の第１と第２の縁部領域に沿って延在しており、長手方向に延在する第１の及び第２の折り線５６で接続される。図２に示される様に、長手方向折り線５６は隅部もしくは斜角形状部６０で中断されるようにしてもよい。長手方向折り線５６は直線であってもよく、また、例えばブランクの厚みを考慮して１箇所以上の箇所においてオフセットするようにしてもよい。隅部特性機能部６０が省略された場合には、この折り線５６はブランク８の全長に渡って連続的になる。
【００２０】
本発明の態様に従って、隅部特性機能部６０は、主ブランク５の第２のサイドパネル２０の各端部と第４のサイドパネル４０の各端部に配置される。各隅部特性機能部６０は、離間し平行な長手方向破断線６４を接続する向かい合ったV字型の破断線６２によりその周縁が画定される。横方向の破断線６６が、離間した長手方向の破断線６４の端部から延在している。破断線６４、６６は、サイドパネル２０、４０とこれらに関連した端部フラップ２２、４２の間において、矩形隅部パネル７０を画成している。三角パネル７４が、隅部パネル７０の各端部において、横方向破断線６６において折り曲げ可能に接続される。ブランク８にはサイドパネル１０、３０の端部等に追加の隅部特性機能部６０を形成してもよい。
【００２１】
本発明のもう１つの態様に従って、主ブランク５はディスペンサーパターン８０を含む。典型的な態様としては、ディスペンサーパターン８０は第２及び第３のサイドパネル２０、３０において形成される。ディスペンサーパターン８０は、第２の及び第３のサイドパネルを通して延在し、取り除き可能なディスペンサーセクション９０を画定する破断可能な破断線８４を含む。第２のサイドパネルにおいてディスペンサーセクション９０に隣接して開口部９４を形成することが出来る。取っ手機能部９８を、サイドパネル１０、２０、３０、４０の１つ以上にて形成することができる。
【００２２】
本発明のもう１つの態様に従って、各強化ブランク６は周縁部及び／又は占有面積を有し、この占有面積は、主ブランク５の占有面積及び/又は周縁部を全体的に又は部分的に補完する。本発明の１態様においては、図１に示される様に、強化ブランク６が一方に対し鏡像であり、長手方向中心線ＣＬに対して互いに対称となっている。この態様においては、強化ブランク６の周部外側縁部は、ブランク５の第１の及び第２の縁部領域おいて、ブランク５の周部の外側縁部と一致、もしくはほぼ一致する。
【００２３】
図１を引き続き参照し、各強化ブランク６は矩形の細長片１０６を含み、この矩形の細長片１０６は、横方向に延在する折り線１２１、１３１、１４１、１５１においてそれぞれ折り曲げ可能に接続された矩形の強化サイドパネル１１０、１２０、１３０、１４０、１５０が連続的に配置されている。強化サイドパネル１１０、１２０、１３０、１４０は、途中で中断している長手方向折り線１５６にて、強化端部フラップ１１２、１２２、１３２、１４２とそれぞれ折り曲げ可能に接続されている。隅部特性機能部１６０が、同様に、強化ブランク６に形成される。隅部特性機能部１６０は、破断線１６２、１６４、１６６により画定される三角パネル１７４及び矩形隅部又は傾斜パネル１７０を含む。
【００２４】
破断線２１、３１、４１、５１、５６、６２、６４、６６、８４、１２１、１３１、１４１、１５１、１５６、１６２、１６４、１６６は、例えば、スコアライン（刻み目又はミシン目ライン）、カットスペースライン、切り込み−折り曲げ線、切込み線、これらの重ね合わせ及び/又は連続的な組合せ、もしくは多層ブランク８の折り曲げ、曲げ及び/又は組立てを容易にするためのその他の破断線である。図示された実施態様においては、破断線２１、３１、４１、５１、６６、１２１、１３１、１４１、１５１、１６６は折り線であり、破断線５６、６２、６４、１５６、１６２、１６４は切り込み−折り線であり、引き裂き可能な破断線８４は引き裂き線である。主ブランク５から打ち抜かれ開口部９４を形成する切抜き部分は、代替的には、例えばブランク８の組立ての際又はその前に取り除かれる打抜きセクションから形成するようにしてもよい。
【００２５】
多層ブランク８を組立てる一態様の方法に従って、強化ブランク６の強化端部フラップ１１２、１２２、１３２、１４２を主ブランク５の対応する端部フラップ１２、２２、３２、４２に各々形状において重ね合わせてほぼ一致するように、強化ブランク６は、主ブランク５の第１及び第２の縁部領域において、それぞれの位置に配置される。強化ブランク６の縁部は、また、ブランク５の縁部において主ブランク５の縁部と整合するようにしてもよい。強化ブランク６の横方向折り線１２１、１３１、１４１、１５１を主ブランク５の各横方向折り線２１、３１、４１、５１とともに折り曲げることができるように、強化ブランク６の連続的に配置された強化パネル１１０、１２０、１３０、１４０、１５０は、主ブランク５の各パネル１０、２０、３０、４０、５０と整合している。次いで、強化ブランク６は糊付け、貼り合わせ、接着、もしくはそれ以外によって主ブランク５に結合される。
【００２６】
図３−図５は多層ブランク８のカートン２００への組立て方法の具体例を例示している。以下の記述にて述べられている主ブランク５と強化ブランク６のいくつかの要素は、図３−５においては見受けることが出来ないかもしれないが、それらの要素は図１及び図２において確認可能である。
【００２７】
図３は、パネル４０がパネル５０に取り付けられている、図１及び図２のブランクの組立ての第１のステップを表す。図３に示すように、ブランク８は、主ブランク５の横方向折り線２１、４１と、強化ブランク６の重ね合わさった横方向折り線１２１、１４１にて、平担に折り曲げられる。それによって、接着パネル５０の外側は、第４のサイドパネル４０の内側と接するようにされる。更に、強化ブランク６の接着パネル１５０は、第４のサイドパネル１４０の内側と接するようにされる。接着面５０、１５０を糊付け、接着、もしくはそれ以外により第４のサイドパネル４０、１４０にそれぞれ結合させることができる。
【００２８】
図４を参照することにより、ブランク８を、概して、管もしくはスリーブの形態に開くことが出来る。図５を参照することにより、ほぼ管状スリーブ形態の各端部は、例えば、主ブランク５の端部フラップ１２、３２及び接着された端部フラップ１１２、１３２を管状形態の開口端を横切って内側へ折り曲げることにより閉じられる。次いで、端部フラップ２２、４２及び接着された端部フラップ１２２、１４２は、端部フラップ１２、３２の上に内側に折り曲げられる。管状スリーブ形態の各端部では、強化端部フラップ１２２、１４２の各内側は、主ブランク５の端部フラップ１２、３２の外側に接着することが可能である。例えば、飲料容器や、ポーチその他の柔らかい容器の物品は、カートンの片方の端部もしくは両端部が端部フラップによって閉じられる前に、いつでも該管状スリーブに充填できる。実施例においては、カートン１５０は、８から１２個の、１０オンスのポーチ容器を受け入れることができる。
【００２９】
図６−図９は組立てられたカートン２００を示す。例えば、概して、カートン２００は、サイドパネル２０、４０の各端部に形成されている隅部特性機能部１８２を有するほぼ平行六面体とすることができる。隅部特性機能部１８２は、強化ブランク６の重ねあわされている隅部特性機能部１６０に取り付けられた主ブランク５の隅部特性機能部６０を備える。重ね合わされ、かつ接着された端部フラップ１２、２２、３２、４２、１１２、１２２、１３２、１４２は、カートン２００の各端部において端部パネル１８４を備える。隅部特性機能部１８２のパネル７０、１７０は、カートン２００のサイド及び端部パネルに対して傾斜して延在している。
【００３０】
図１０を参照すると、サイドパネル４０において取っ手機能部９８がアクセス可能とされている。取っ手機能部９８は、ユーザーがサイドパネル４０に指を入れ、カートン２００を持ち運ぶことを可能にさせるための破断可能な破断線（例：引き裂き線）から形成される。所望する場合には、追加の取っ手機能部を設けることができる。図１０はアクセスされる取っ手機能部９８を有するカートン２００を示す。
【００３１】
図１１はカートン２００の第２のサイドパネル２０を示しており、これはディスペンサーセクション９０の隣に開口部９４を含んでいる。開口部９４は、例えば、製品や売主などのロゴに合わせた形の様な装飾的な周形状を有することができる。開口部９４によりカートンの内容物をカートン外側から見ることが可能となる。一実施例においては、透明なフィルム（不図示）が開口部９４の上に配置されカートンの内容物を見ることを可能にする一方、他方では内容物がカートン２００から抜け落ちるのを防止している。
【００３２】
図１２は、ディスペンサー領域９０が開けられ、かつ除かれた状態のカートン２００を示している。ディスペンサー領域９０はディスペンサーパターン８０に沿って引き裂くことにより取り除かれ、カートン２００にディスペンサー開口部１８８が作られる。ディスペンサー開口部１８８は、サイドパネル２０の開口部９４と連続している。ディスペンサー開口部１８８は、カートン２００の隅部を横切るように２つのサイドパネル２０、３０に延在しており、これにより、カートン内の物品に簡単にアクセスすることが出来る。開口部９４を起点としてディスペンサーパターン８０に沿うカートン２００の引き裂きを可能にするため、開口部９４はディスペンサー領域８０の隣に配置される。
【００３３】
例示の目的だけではあるが、カートンはブランクから実質的に同等な立方体形状へと形成されることができ、これは、パネル１０、２０、３０、４０、及び５０の全長例示寸法が少なくとも約２４と１９／３２インチのブランクが適用される場合であり、これには少なくとも約５／８インチの長さのパネル５０と、少なくとも約６インチの長さのパネル１０、２０、及び３０と、そして少なくとも約５と３１／３２インチの長さのパネル４０を有する。ブランク５は少なくとも約１２と１／２インチの例示幅となっており、これには長手方向折り線１５６間の幅が少なくとも約６インチ、ディスペンサー領域９０が少なくとも約２．７６９インチの幅、そしてブランク６が少なくとも約４と３／４インチの幅を有する。ブランクは、あらゆる紙の厚さで形成可能であり、例えば、０．０１８の厚さである。ここにある全ての寸法情報は本発明の典型例を説明するためのもので、限定をするものではない。更に、本発明の範囲から逸脱することなしに、ブランク５、ブランク６、及びこれらから形成されるカートンの様々な特徴部は、ここに列挙された以外の寸法を有することができる。
【００３４】
上記の実施例によれば、強化ブランク６は、概して、追加の強度や剛性をカートン２００へ提供する。例えば、カートン２００がサイドパネルにて支持されている際、強化ブランク６はカートンの鉛直軸方向圧縮に対し有効な強度を与える。この特徴は、多数のカートンに対し、比較的多量な積み上げを可能とする。隅部特性機能部６０は、特に圧縮に対し、追加の強度と剛性をカートンに与える。
【００３５】
１つ以上の強化ブランクによって、特定した場所において主ブランク５を選択的に強化することができる。複数のブランクの合成から形成されたカートンは、選択された場所において強化された強度と剛性を有する。主ブランクの特定領域の選択された強化は、強化ブランクのかなり少量な使用で、高い強度のカートンを提供することが可能である。
【００３６】
例えば、ある特定の用途においては少ない強化でも十分である場合には、上記した実施例においては上記で述べた１つ以上の強化ブランクを省いてもよい。
【００３７】
例示した実施例に従って例えば、カートンを厚紙により作成することができる。、ボール紙、固形無漂白硫酸塩（ＳＵＳ）板等の他の材料や、カートンが少なくとも、上記で述べられたように機能するのに適した特性を有するその他の素材により、ブランク及びカートンを作成することが出来る。
【００３８】
選択されたパネル領域やパネルにおいて、ブランクを積層することができ、また１つ以上の追加のシート状材料でブランクをコーティングをすることも可能である。上記で述べたブランクの１つ以上のパネルは、ニス、にかわ（クレー）又は他の材料を単独又は組み合わせによりコーティングすることもできる。その後、該コーティングには、製品、広告、そして他の情報やイメージの印刷が施される。またブランクは、ブランクに印刷された情報を保護するためコーティングされる。ブランクは、例えば防湿層が、ブランクの片面、もしくは両面にコーティングされる。
【００３９】
ここにある記述内容の目的として、“破断線”や“弱化形態の線”という用語は、概して、切り込み線、引き裂き線、折り曲げ線、スコアライン（刻み線）、そして折り曲げ線（もしくは重ね合わせの、及び／又は切り込み線、折り曲げ線、スコアライン、引き裂き線や折り線を少なくとも１つ使った連続的な組合せ）を言及するために使用される。“破断可能な線”とは、カートンを分配するような態様にするがごとく、カートンの通常使用時などで、引き裂かれることが意図された破断線である。破断可能な線の例としては、引き裂き線である。
【００４０】
本発明の実施例に従って、折り線は、直線である必要性は無いが、ブランクにおいて折り曲げ、枢動運動、もしくは撓ませを容易にさせる線状の破断線や弱化形態の線の形態とすることができる。
【００４１】
本明細書において、“パネル”もしくは“フラップ”は平坦形状や他の平面形状である必要はない。“パネル”もしくは“フラップ”は、例えば、複数の相互接続されたほぼ平坦領域や平面領域を備えることができる。
【００４２】
上記実施例では、糊付けにより互いに接着された１つ以上のパネルを有するものとして述べられている。“糊付け”の用語は、カートンパネルをしっかりと固定するために一般的に用いられる全ての接着方法が含まれる。
【００４３】
本発明は例示的な実施例に言及して述べられているが、本発明の精神並びに範囲から逸脱することなく、様々な追加形態、変形形態及び変更を本発明に対して行うことが出来ることは当業者により理解されるであろう。例えば、本発明の実施例は、組み合わせにおいて含まれる複数の特徴的構成を有するものとして述べられているが、これらの特徴的各構成は、カートンに単独で又は種々の組み合わせで含まれることができる。
【図１】
2010534599.tif 000003
【図２】
2010534599.tif 000004
【図３】
2010534599.tif 000005
【図４】
2010534599.tif 000006
【図５】
2010534599.tif 000007
【図６】
2010534599.tif 000008
【図７】
2010534599.tif 000009
【図８】
2010534599.tif 000010
【図９】
2010534599.tif 000011
【図１０】
2010534599.tif 000012
【図１１】
2010534599.tif 000013
【図１２】
2010534599.tif 000014
【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
カートンを形成するための多層ブランクであって、該多層ブランクは主ブランクと第１の強化ブランクとを備え、
該主ブランクは、第１の折り線に沿って第２のパネルに接続された第１のパネルと、第２の折り線に沿って第３のパネルに接続された該第２のパネルと、第３の折り線に沿って第４のパネルに接続された該第３のパネルと、第１の横方向折り線に沿って該第１のパネルに接続された第１のトップ端部フラップを含み、
該第１の横方向折り線は該第１の折り線を横切るようにされており、
該主ブランクは、該第１の横方向折り線に沿って該第１のパネルと該第１の端部フラップの間に配置されている第１の隅部特性機能部を含み、
該第１の強化ブランクが該主ブランクに取り付けられており、
該第１の隅部特性機能部は斜角形状を有し該カートンを強化する、多層ブランク。
【請求項２】
分離可能な部分が、該主ブランクの該第２のパネルに少なくとも部分的に形成されており、該分離可能な部分は、該第２のパネルから該第２の折り線を横切って該第３のパネルまで延在している引き裂き線により少なくとも部分的に画成され、該引き裂き線は、開口機能部によりその周部分で分離される、請求項１に記載のブランク。
【請求項３】
該開口機能部は該第３のパネルに形成されている開口部であり、該開口機能部は指フラップによって覆われている、請求項２に記載のブランク。
【請求項４】
少なくとも第２の端部フラップが、該第１の横方向折り線に沿って該第２のパネルと接続されており、第３の端部フラップが、該横方向折り線に沿って該第３のパネルに接続され、第２の隅部特性機能部が、該第１の横方向折り線に沿って該第３のパネルと該第３の端部フラップの間に配置されている、請求項１に記載のブランク。
【請求項５】
第２の強化ブランクが該主ブランクに取り付けられており、該第１の強化ブランクは、該第１の横方向折り線に沿って配置され、該第２の強化ブランクは、第２の横方向折り線に沿って配置されている、請求項１に記載のブランク。
【請求項６】
第２の横方向折り線が、該第１の横方向折り線と平行で該第１のパネルの反対側に配置され、第２の隅部特性機能部が、該第２の横方向折り線に沿って該第１のパネルと第１のボトム端部フラップの間に配置されており、第３の隅部特性機能部が、該第２の横方向折り線に沿って該第３のパネルと第３のボトム端部フラップとの間に配置され、第４の隅部特性機能部が、該第２の横方向折り線に沿って該第４のパネルと第４のボトム端部フラップとの間に配置されている、請求項１に記載のブランク。
【請求項７】
多層ブランクを備えるカートンであって、該多層ブランクは主ブランクと第１の強化ブランクとを備え、
該主ブランクは、第１の折り線に沿って第２のパネルと接続された第１のパネルと、第２の折り線に沿って第３のパネルと接続された該第２のパネルと、第３の折り線に沿って第４のパネルと接続された該第３のパネルと、第１の横方向折り線に沿って該第１のパネルと接続された第１のトップ端部フラップを含み、
該第１の横方向折り線は該第１の折り線を横切るようにされており、
該主ブランクは、該第１の横方向折り線に沿って該第１のパネルと該第１の端部フラップとの間に配置されている第１の隅部特性機能部を備え、
該第１の強化ブランクが該主ブランクに取り付けられており、
該第１の隅部特性機能部が斜角形状を有し該カートンを強化する、カートン。
【請求項８】
分離可能な部分が、該主ブランクの該第２のパネルに少なくとも部分的に形成されており、該分離可能な部分は、該第２のパネルから該第２の折り線を横切って該第３のパネルまで延在し、且つ開口機能部によりその周部分で分離される引き裂き線により少なくとも部分的に画成され、該開口機能部は、該分離可能な部分を引き裂き線に沿って分離するための始点として使用されることができる、請求項７に記載のカートン。
【請求項９】
該開口機能部は該第３のパネルに形成された開口であり、該開口機能部は指フラップで覆われている、請求項８に記載のカートン。
【請求項１０】
第２の端部フラップが、該第１の横方向折り線に沿って該第２のパネルに接続されており、第３の端部フラップが、該横方向折り線に沿って該第３のパネルに接続され、第２の隅部特性機能部が、該第１の横方向折り線に沿って該第３のパネルと該第３の端部フラップとの間に配置されている、請求項７に記載のカートン。
【請求項１１】
少なくとも１つの取っ手機能部が該第１のパネルもしくは該第４のパネルに配置されている、請求項７に記載のカートン。
【請求項１２】
第２の強化ブランクが該主ブランクに取り付けられており、該第１の強化ブランクは、該第１の横方向折り線に沿って配置され、該第１の横方向折り線と平行で該第１のパネルの反対側に配置されている第２の横方向折り線に沿って該第２の強化ブランクが配置されている、請求項７に記載のカートン。
【請求項１３】
第２の隅部特性機能部が第２の横方向折り線に沿って該第１のパネルと該第１のボトム端部フラップの間に配置されており、第３の隅部特性機能部が、該第２の横方向折り線に沿って該第３のパネルと第３のボトム端部フラップの間に配置され、第４の隅部特性機能部が、該第２の横方向折り線に沿って該第４のパネルと該第４のボトム端部フラップの間に配置されている、請求項７に記載のカートン。
【請求項１４】
カートンを形成する方法であって、該方法は、
主ブランクと第１の強化ブランクとを有する多層ブランクを設けることを備え、
該主ブランクは、第１の折り線に沿って第２のパネルと接続された第１のパネルと、第２の折り線に沿って第３のパネルと接続された該第２のパネルと、第３の折り線に沿って第４のパネルと接続された該第３のパネルと、第１の横方向折り線に沿って該第１のパネルと接続された第１のトップ端部フラップとを含み、該第１の横方向折り線は該第１の折り線と交差しており、第１の隅部特性機能部が、該第１の横方向折り線に沿って該第１のパネルと第１の端部フラップの間に配置され、
該第１の強化ブランクは該主ブランクに取り付けられており、
該第１の隅部特性機能部は斜角形状を有し該カートンを強化する、方法。
【請求項１５】
第２の隅部特性機能部が、第２の横方向折り線に沿って該第１のパネルと第１のボトム端部フラップの間に配置されており、第３の隅部特性機能部が、該第２の折り線に沿って該第３のパネルと該第３のボトム端部フラップの間に配置され、第４の隅部特性機能部が、該第２の横方向折り線に沿って該第４のパネルと第４のボトム端部フラップの間に配置されている、請求項１４に記載の方法。
【国際調査報告】
2010534599.tif 000015
2010534599.tif 000016